(57)【特許請求の範囲】
【請求項１】
被洗浄面に液体を噴出して洗浄する洗浄方法において、
前記被洗浄面に向けて気体を噴出して気体噴流を形成し、
前記気体噴流に向けて液体を噴出して液体噴流を形成し、前記気体噴流との交差部で該気体噴流によって前記液体噴流の液体を微細液粒に粉砕し、前記微細液粒を気体噴流によって加速させて前記被洗浄面に衝突させ、
前記液体噴流の気体噴流に対する交差角度を１度以上２０度以下とし、前記液体噴流の吐出圧力Ｐａが０．０１ＭＰａ以上１ＭＰａ以下で吐出量Ｑａが１Ｌ／ｍｉｎ以上１００Ｌ／ｍｉｎ以下、前記気体噴流の吐出圧力Ｐｂが０．５ＭＰａ以上１０ＭＰａ以下で吐出量Ｑｂが１００Ｌ／ｍｉｎ以上１００００Ｌ／ｍｉｎ以下であり、Ｐａ＜Ｐｂ、Ｑａ＜Ｑｂであることを特徴とする洗浄方法。
【請求項２】
前記液体噴流を複数形成して同一位置で交差させ、この液体噴流の交差部に向けて前記気体噴流を噴出することを特徴とする請求項１記載の洗浄方法。
【請求項３】
前記気体の噴出口を中心として、同心円上に一定ピッチで前記液体の噴出口が配置されていることを特徴とする請求項２記載の洗浄方法。
【請求項４】
被洗浄面に液体を噴出して洗浄する洗浄装置において、
前記被洗浄面に向けて気体を噴出して気体噴流を形成する気体噴出口と、
前記気体噴流に向けて液体を噴出して液体噴流を形成する液体噴出口と、
前記気体噴出口に前記気体を供給すると共に前記液体噴出口に前記液体を供給し、前記気体噴流と前記液体噴流との交差部で気体噴流によって液体噴流の液体を微細液粒に粉砕し、前記微細液粒を気体噴流によって加速させて前記被洗浄面に衝突させる流体供給部とを備え、
前記液体噴流の気体噴流に対する交差角度が１度以上２０度以下となるように前記液体噴出口が傾けて設けられ、前記液体供給部は、前記液体を、圧力Ｐａが０．０１ＭＰａ以上１ＭＰａ以下で吐出量Ｑａが１Ｌ／ｍｉｎ以上１００Ｌ／ｍｉｎ以下で供給し、前記気体を、圧力Ｐｂが０．５ＭＰａ以上１０ＭＰａ以下で吐出量Ｑｂが１００Ｌ／ｍｉｎ以上１００００Ｌ／ｍｉｎ以下で供給し、Ｐａ＜Ｐｂ、Ｑａ＜Ｑｂであることを特徴とする洗浄装置。
【請求項５】
前記液体噴出口を複数設け、複数の前記液体噴流を同一位置で交差させ、この液体噴流の交差部に向けて前記気体噴流を噴出することを特徴とする請求項４記載の洗浄装置。
【請求項６】
前記気体の噴出口を中心として、同心円上に一定ピッチで前記液体の噴出口が配置されていることを特徴とする請求項５記載の洗浄装置。
【請求項７】
ノズル本体と、
前記ノズル本体のノズル面に設けられ、気体を噴出する気体噴出口と、
前記ノズル面に設けられ、前記気体噴出口を中心とする同心円上に一定ピッチで複数形成され、前記気体噴出口から出た気体噴流に対して１度以上２０度以下の交差角度で同一位置で前記液体噴流が交差するように形成される液体噴出口と、
前記ノズル本体内に設けられ、前記気体噴出口に気体を供給する気体供給通路と、
前記ノズル本体内に設けられ、前記液体噴出口に液体を供給する液体供給通路とを備えることを特徴とする洗浄ノズル。
【発明の詳細な説明】
【技術分野】
【０００１】
本発明は、輸送機器、プラント機器等の金属表面や塗装表面を洗浄する洗浄方法及び装置並びに洗浄ノズルに関する。
【背景技術】
【０００２】
輸送機器、例えば鉄道車両の外板を洗浄するために、車両洗浄装置が用いられている。この車両洗浄装置は、車両の表面に洗剤などの薬液を塗布する薬液塗布部と、薬液が塗布された表面に洗浄水を噴射する洗浄水噴射部と、薬液が塗布された表面を洗浄する洗浄ブラシと、洗浄後の車両表面に気流を噴射するエアブロア等を備えている。そして、車両を低速度で走行させながら、車両の表面に薬液を塗布した後に、この車両の表面に洗浄水を噴射しながら洗浄ブラシを回転させて車両の表面を洗浄し、この後に気流を噴射して車両の表面に付着した水滴などを飛ばしている（例えば、特許文献１）。
【０００３】
近年、塗装車両に代わってステンレス車両が増加している。このようなステンレン車両の表面は、つや消し仕上げがされており、表面に微細な凹凸が形成されている。したがって、凹部に汚れが付着すると、洗浄ブランの繊維太さに対して凹部が小さいため、凹部の底までブラシ先端が届かず、汚れを除去することができないという問題がある。
【０００４】
また、洗浄ブラシに代えて、高圧水流を利用した洗浄も行われている。しかし、このような洗浄方法では、吐出圧力が５ＭＰａ〜２０ＭＰａ程度と水圧が高いため、車両の隙間から車内に水が侵入するという問題がある。また、高圧水流であるため、水の消費量が多くランニングコストが増える他に、廃水などの後処理も必要になるという問題がある。
【０００５】
上記高圧水流洗浄に代えて、洗浄粒子と流体との混合液を圧縮気体によって噴射又は前記洗浄粒子を液体によって加圧して噴射することも提案されている（例えば特許文献２参照）。この噴射装置は、洗浄粒子及び水からなる混合液を吸引する吸引口、圧縮空気が噴射する噴射口、噴射口からの圧縮空気によって吸引口からの混合液を吸引しながら攪拌するガンボディ、ガンボディから洗浄粒子、水及び空気からなる噴射水を噴射するノズル部などを備えており、０．２ＭＰａ〜０．８ＭＰａ程度の低い吐出圧で噴射水を噴射する。洗浄粒子は凹部よりも微小であるので、凹部内に確実に到達し、凹部に付着している汚れを落とすことができる。
【特許文献１】特開平７−００２０６４号公報
【特許文献２】特開２００６−０６１７９１号公報
【発明の開示】
【発明が解決しようとする課題】
【０００６】
しかしながら、特許文献２記載のものでは、低い吐出圧で噴射水を噴射するため、洗浄表面に近接させて洗浄する必要があり、洗浄表面に突起部や凹み部がある場合には適切な噴射距離を設定することが困難であり、洗浄が不充分になるおそれがある。また、洗浄粒子を混合する手間を要する他に、洗浄粒子による目詰まりの発生もあり、メンテナンスに時間を取られるなどの不都合がある。さらには、特許文献２記載のものでは、ガンボディ内で洗浄粒子・水と空気とを合流させているため、圧力損失が大きくなり、空気等による送り出し効果が充分に得られないという問題もある。
【０００７】
本発明は、上記問題に鑑み、被洗浄面とノズルとの距離を充分に確保することができ、しかも洗浄液の消費を抑えて効率の良い洗浄を可能とする洗浄方法及び装置、洗浄ノズルを提供することを目的とする。
【課題を解決するための手段】
【０００８】
上記目的を達成するために、本発明は、被洗浄面に液体を噴出して洗浄する洗浄方法において、前記被洗浄面に向けて気体を噴出して気体噴流を形成し、前記気体噴流に向けて液体を噴出して液体噴流を形成し、前記気体噴流との交差部で該気体噴流によって前記液体噴流の液体を微細液粒に粉砕し、前記微細液粒を気体噴流によって加速させて前記被洗浄面に衝突させ、前記液体噴流の気体噴流に対する交差角度を１度以上２０度以下とし、前記液体噴流の吐出圧力Ｐａが０．０１ＭＰａ以上１ＭＰａ以下で吐出量Ｑａが１Ｌ／ｍｉｎ以上１００Ｌ／ｍｉｎ以下、前記気体噴流の吐出圧力Ｐｂが０．５ＭＰａ以上１０ＭＰａ以下で吐出量Ｑｂが１００Ｌ／ｍｉｎ以上１００００Ｌ／ｍｉｎ以下であり、Ｐａ＜Ｐｂ、Ｑａ＜Ｑｂであることを特徴とする。
【００１０】
本発明は、前記液体噴流を複数形成して交差させ、この液体噴流の交差部に向けて前記気体噴流を噴出することを特徴とする。また、前記気体の噴出口を中心として、同心円上に一定ピッチで前記液体の噴出口が配置されていることを特徴とする。
【００１１】
本発明は、被洗浄面に液体を噴出して洗浄する洗浄装置において、前記被洗浄面に向けて気体を噴出して気体噴流を形成する気体噴出口と、前記気体噴流に向けて液体を噴出して液体噴流を形成する液体噴出口と、前記気体噴出口に前記気体を供給すると共に前記液体噴出口に前記液体を供給し、前記気体噴流と前記液体噴流との交差部で気体噴流によって液体噴流の液体を微細液粒に粉砕し、前記微細液粒を気体噴流によって加速させて前記被洗浄面に衝突させる流体供給部とを備え、前記液体噴流の気体噴流に対する交差角度が１度以上２０度以下となるように前記液体噴出口が傾けて設けられ、前記液体供給部は、前記液体を、圧力Ｐａが０．０１ＭＰａ以上１ＭＰａ以下で吐出量Ｑａが１Ｌ／ｍｉｎ以上１００Ｌ／ｍｉｎ以下で供給し、前記気体を、圧力Ｐｂが０．５ＭＰａ以上１０ＭＰａ以下で吐出量Ｑｂが１００Ｌ／ｍｉｎ以上１００００Ｌ／ｍｉｎ以下で供給し、Ｐａ＜Ｐｂ、Ｑａ＜Ｑｂであることを特徴とする。
【００１３】
本発明は、ノズル本体と、前記ノズル本体のノズル面に設けられ、気体を噴出する気体噴出口と、前記ノズル面に設けられ、前記気体噴出口を中心とする同心円上に一定ピッチで複数形成され、前記気体噴出口から出た気体噴流に対して１度以上２０度以下の交差角度で同一位置で前記液体噴流が交差するように形成される液体噴出口と、前記ノズル本体内に設けられ、前記気体噴出口に気体を供給する気体供給通路と、前記ノズル本体内に設けられ、前記液体噴出口に液体を供給する液体供給通路とを備えることを特徴とする。
【発明の効果】
【００１４】
本発明によれば、気体噴流と液体噴流とを交差させ、この交差部で気体噴流によって液体噴流の液体を微細液粒に粉砕し、この微細液粒を気体噴流によって加速させて被洗浄面に衝突させるから、微細な凹凸を有する被洗浄面の凹部内に微細液粒が入り込み、凹部内に付着した汚れに衝撃を与えて、これを確実に落とすことができる。しかも、気体噴流が被洗浄面に衝突して衝撃エネルギに代わり、板状の被洗浄面を振動させるため、凹部に入り込んだミクロン単位の微細な汚れを中から浮かすことができ、これを気体噴流によって吹き飛ばすことができる。また、液体噴流を気体噴流によって微細液粒として粉砕し、気体噴流によって被洗浄面に衝突させるため、従来の高圧水流洗浄方式に比べて使用する液体の量を減らすことができ、ランニングコストに優れる他に、高圧水流洗浄方式のように表面の隙間から内部に水が侵入することもなくなる。このように、液体噴流に気体噴流を衝突させることによる微細液粒への分割効果、微細液粒の気体噴流による加速効果、気体噴流が被洗浄面に衝突することによる衝撃エネルギによる被洗浄面の振動効果、気体噴流による吹き飛ばし効果によって、微細な凹部に付着したミクロン単位の微小な汚れから大きなゴミまで非接触式で取り除くことができる。
【００１５】
特に、液体噴流の気体噴流に対する交差角度を１度以上２０度以下とし、液体噴流の吐出圧力Ｐａが０．０１ＭＰａ以上１ＭＰａ以下で吐出量Ｑａが１Ｌ／ｍｉｎ以上１００Ｌ／ｍｉｎ以下、気体噴流の吐出圧力Ｐｂが０．５ＭＰａ以上１０ＭＰａ以下で吐出量Ｑｂが１００Ｌ／ｍｉｎ以上１００００Ｌ／ｍｉｎ以下であり、Ｐａ＜Ｐｂ、Ｑａ＜Ｑｂとすることにより、微細液粒の形成及び加速、被洗浄面への衝撃の付与、付着した汚れ等の吹き飛ばしが効率良く行われる。
【００１６】
また、液体噴流を複数形成して同一位置で交差させ、この液体噴流の交差部に向けて気体噴流を噴出することにより、液体を交差部に集約させた後に気体噴流によって粉砕・分割させるため、効率良く液体を粉砕・分割することができる。さらに、気体の噴出口を中心として、同心円上に一定ピッチで液体の噴出口が配置されていることより、液体噴流の集約と粉砕とをより一層効率よく行うことができる。
【発明を実施するための最良の形態】
【００１７】
以下に、本発明の実施態様について詳細に説明する。ただし、本発明はここに挙げる実施態様に限定されるものではない。図１に示すように、洗浄ノズル１０は、筒状のノズル本体１１の一端にノズルチップ１２、他端にキャップ１３を固着し、内部に気体連通パイプ１４を配置して構成されている。
【００１８】
図２に示すように、ノズルチップ１２は円盤状に構成されており、中心に気体噴出口１５が開けられている。また、気体噴出口１５を中心として同心円上に１２０度ピッチで３個の液体噴出口１６が開けられている。図１に示すように、液体噴出口１６は、気体噴出口１５の中心線ＣＬ１に対して傾斜角度θが７°となるように内側に向けて傾斜して形成されている。これにより、図３に示すように、液体噴出口１６から噴射された液体噴流６５が気体噴流６６の中心線ＣＬ１上において同一位置Ｐ１で交わる。
【００１９】
図１に示すように、ノズルチップ１２の裏面には、気体噴出口１５と同心でパイプ取付孔３０が形成されており、このパイプ取付孔３０には気体連通パイプ１４が固着されている。気体連通パイプ１４の他端１４ａは、キャップ１３の貫通孔１３ａから外部に突出している。また、キャップ１３の外側面で貫通孔１３ａの周りにはニップル３１が取り付けられている。
【００２０】
図３に示すように、気体連通パイプ１４の端部には図示しない球状パッキン等が入れられた後に、コネクタ３２を介し、高圧エアチューブ３３が連結される。高圧エアチューブ３３は、ヘッダパイプ３４を介してエアコンプレッサ３５に接続されており、圧縮エア３６が気体噴出口１５に供給される。また、球状パッキンやＯリング等によって貫通孔１３ａが塞がれるため、ノズル本体１１内の洗浄液４６が漏れることはない。
【００２１】
ノズル本体１１のキャップ１３近くの周面にはニップル４０が溶着されている。このニップル４０には、コネクタ４１を介して洗浄水供給ホース４２が接続されている。洗浄水供給ホース４２はヘッダパイプ４３を介してポンプ４４に接続されている。ポンプ４４はタンク４５に接続されており、タンク４５の洗浄液４６を洗浄ノズル１０に送液している。洗浄液４６としては本実施形態では水を用いている。
【００２２】
図４に示すように、洗浄ノズル１０はノズル取付板４９に取り付けられている。これら洗浄ノズル１０及びノズル取付板４９によって、ノズルヘッダ５０が構成される。ノズルヘッダ５０には、被洗浄エリアをカバーするように必要本数の洗浄ノズル１０が１列または複数列で取り付けられている。
【００２３】
図５に示すように、本実施形態では、洗浄ノズル１０を鉄道車両６０の洗浄に用いている。このため、２個のノズルヘッダ５０は鉛直方向に並べて取付フレーム５１に取り付けられている。また、取付フレーム５１は、鉄道車両６０のレール６１に沿って配置されている。したがって、洗浄ノズル１０から液体噴流６５と気体噴流６６とを噴出させて、鉄道車両６０を低速度で走行させることにより、鉄道車両６０の側面全域を洗浄することができる。
【００２４】
図３に示すように、洗浄時には気体噴出口１５から圧縮エア３６が噴出され気体噴流６６となる。また、３個の液体噴出口１６から洗浄液４６が噴出され液体噴流６５となる。液体噴出口１６は気体噴出口１５の中心線ＣＬ１に対し交差する角度θで形成されているため、これら３本の液体噴流６５は、気体噴出口１５の中心線ＣＬ１上の同一位置Ｐ１で交差する。この交差部７０において、気体噴流６６が液体噴流６５に衝突するため、洗浄液４６は気体噴流６６によって粉砕・分割されて略球状のミクロンオーダーの微細液粒７１（図６参照）となる。この微細液粒７１は気体噴流６６によって直進するエネルギを受けて加速され、被洗浄面７５に衝突する。特に、開放された大気圧状態で液体噴流６５に気体噴流６６を当てているため、気体噴流６６の大気放出の際の膨張エネルギを利用することができ、効率良く液体噴流６５を微細液粒７１に粉砕し分割することができる。
【００２５】
図６に示すように、被洗浄面７５への微細液粒７１の衝突による衝撃によって、被洗浄面７５に付着している汚れ７６やゴミ７７を剥離または削り取ることで、取り除くことができる。特に、被洗浄面７５がつや消し仕上げのステンレス板である場合には、表面の微細な凹凸の頂部と谷部との距離Ｌａは２０μｍ程度である。このような微細な凹部７５ａ内に、ミクロンオーダーの微細液粒７１が入り込むため、凹部７５ａに付着したタール状の汚れ７６や凹部７５ａ内に入り込んだ微細な金属片などのゴミ７７も、確実に除去される。
【００２６】
気体噴流６６も被洗浄面７５に衝突し、この衝突による衝撃波エネルギにより被洗浄面７５に振動が発生し、ミクロン単位の汚れ７６、ゴミ７７をたたき落とす。また、たたき落とされた汚れ７６やゴミ７７は気体噴流６６によって吹き飛ばされる。
【００２７】
このように、液体噴流６５に気体噴流６６を衝突させることによる微細液粒７１への粉砕・分割効果、微細液粒７１の気体噴流６６による加速効果、気体噴流６６が被洗浄面７５に衝突することによる衝撃波による被洗浄面７５の振動効果、気体噴流６６による吹き飛ばし効果が相乗効果となって作用し、微細な凹部７５ａに付着したミクロン単位の微小な汚れ７６、ゴミ７７から大きなゴミ等まで非接触式で確実に洗浄することができる。しかも、従来の高圧水流方式のジェット洗浄に比べて、洗浄水の使用量を抑えることができる他に、被洗浄面７５の隙間などから高圧水流が侵入してしまうという不都合もない。また、ブラシ方式のような接触方式を取らないため、ブラシによる線状痕跡が残ることもない。
【００２８】
前記液体噴流６５を噴出するために洗浄ノズル１０に供給される液体の圧力Ｐａは、０．０１ＭＰａ以上１ＭＰａ以下、吐出量Ｑａは１Ｌ／ｍｉｎ以上１００Ｌ／ｍｉｎ以下、前記気体噴流６６を噴出するために洗浄ノズル１０に供給される気体の圧力Ｐｂは０．５ＭＰａ以上１０ＭＰａ以下で吐出量Ｑｂは１００Ｌ／ｍｉｎ以上１００００Ｌ／ｍｉｎ以下で、Ｐａ＜Ｐｂ、Ｑａ＜Ｑｂであれば、微細液粒の形成、吹き付け、気体噴流による衝撃波の付与、吹き飛ばし効果が得られる。好ましくは、Ｐａが０．１ＭＰａ以上０．３ＭＰａ以下、Ｑａが３Ｌ／ｍｉｎ以上１０Ｌ／ｍｉｎ以下、Ｐｂが０．５ＭＰａ以上１．５ＭＰａ以下でＱｂが５００Ｌ／ｍｉｎ以上３０００Ｌ／ｍｉｎ以下であり、特に好ましくは、Ｐａが０．１ＭＰａ以上０．３ＭＰａ以下、Ｑａが５Ｌ／ｍｉｎ以上８Ｌ／ｍｉｎ以下、Ｐｂが０．６ＭＰａ以上０．９ＭＰａ以下でＱｂが９００Ｌ／ｍｉｎ以上１４００Ｌ／ｍｉｎ以下である。このときの、気体噴出口１５の直径は３．８ｍｍ、液体噴出口１６の直径は１．８ｍｍである。また、ノズル先端１２ａと被洗浄面７５との距離Ｌｂは７５ｍｍである。
【００２９】
なお、液体噴流６５の吐出圧力Ｐａが０．０１ＭＰａ未満であると、液体噴流不足により衝突エネルギが弱くなり、Ｐａが１ＭＰａを超えると、液体噴流過多により気体噴流６５が有効に作用せず、衝突エネルギが弱くなる。また、気体噴流６６の吐出圧力Ｐｂが０．５ＭＰａ未満であると、衝突エネルギが弱くなる。このＰｂは高いほど衝突エネルギが大きくなり洗浄効果が上がるが、１０ＭＰａを超えると、被洗浄面の破壊が起こる。同様にして、液体噴流６５の吐出量Ｑａが１Ｌ／ｍｉｎ未満であると衝突エネルギが弱く、１００Ｌ／ｍｉｎを超えると、液体噴流過多で気体噴流が有効に作用せず、衝突エネルギが弱くなる。また、気体噴流６６の吐出量Ｑｂが３００Ｌ／ｍｉｎ未満であると、液体に作用する衝突エネルギが弱くなり、１００００Ｌ／ｍｉｎを超えると被洗浄面の破壊が起こる。
【００３０】
また、液体噴流６５の気体噴流６６に対する交差角度θは、１度以上２０度以下であれば、微細液粒の形成、吹き付け、気体噴流による衝撃波の付与、吹き飛ばし効果が得られる。なお、交差角度θは３度以上１５度以下が好ましく、より好ましくは５度以上８度以下である。交差角度θが１度未満又はマイナスになると液体噴流と気体噴流との交差する位置がノズルから離れすぎてしまい、衝突エネルギが生まれない。また、交差角度θが２０度を超えると、交差する位置がノズルの近くになり、適正な洗浄距離を確保することができない。
【００３１】
なお、上記実施形態では、液体噴流６５として水を噴射させたが、水の他に薬液（例えば２〜３％のリン酸を含有する水）などを噴射させてもよい。また、液体中にミクロン単位の微小粒子を分散させてもよい。
【００３２】
上記実施形態では、気体噴出口１５と液体噴出口１６とを有する１本の洗浄ノズル１０としたが、これに代えて、液体噴出ノズルと気体噴出ノズルとを別体で設けて、同じように液体噴流に対し気体噴流を交差させて、微細液粒を形成し、これを気体噴流によって被洗浄面に衝突させてもよい。
【００３３】
液体噴出口１６は一つの気体噴出口１５に対して、１個以上あればよい。但し、交差部における気体噴流６６による液体の粉砕を効果的に行うためには、複数個以上が好ましく、特に好ましくは３個以上である。更に、３個以上の液体噴出口１６を設ける場合には、これら液体噴流６５同士を鋭角で交差させて集約し、この交差部７０に気体噴流６６を衝突させることが好ましい。この場合には、３個以上の液体噴流６５で囲まれて略円錐状となった交差部７０内側面に対して、気体噴流６６を衝突させることができ、より一層の液体粉砕・分割効果が得られる。
【００３４】
上記実施形態では鉄道車両６０の外板洗浄装置として本発明を実施したが、洗浄対象は鉄道車両６０に限られることなく、自動車、航空機、船舶などの他の輸送機器であってもよく、また、輸送機器に限られず、洗浄が必要な微小凹凸を有するあらゆる面に対して本発明を実施することができる。また、被洗浄面７５は平面に限られず湾曲面であってもよい。この場合には、ノズル先端と被洗浄面との距離Ｌｂが同じになるように、洗浄ノズル１０を取り付けるノズルヘッダを湾曲面に合わせた形状とする。また、面洗浄に際して、被洗浄面を移動させる他に、洗浄ノズル１０側を移動させてもよく、更には両方を移動させてもよい。
【実施例１】
【００３５】
洗浄ノズル１０として、図１及び図２に示すものを用い、ノズル本体１１の外径を３４ｍｍ、長さを１９５ｍｍ、気体噴出口１５の直径を３．８ｍｍ、液体噴出口１６の直径を１．８ｍｍ、液体噴出口１６を構成する孔の前記傾斜角度θを７°、液体噴出口１６の配列同心円の直径Ｄ１を１８．４ｍｍとした。気体は１ＭＰａの圧縮エアを用い、ノズル１本あたりの噴出量は１２００Ｌ（リットル）／ｍｉｎ、液体は０．５ＭＰａの水を用い、ノズル１本あたりの噴出量は６Ｌ／ｍｉｎとした。圧縮エアの気体噴出口１５における圧力損失により、実際には０．８ＭＰａで大気放出し、気体噴流６６を形成した。ノズル先端から被洗浄面までの距離Ｌｂは７５ｍｍとした。この洗浄ノズル１０を図５に示すノズルヘッダ５０に取り付けて、ステンレス車両の側面を被洗浄面とした。
【００３６】
洗浄効果の評価は、（株）キーエンス製のＶＨ−６３００型のマイクロスコープにより７５倍で被洗浄面を撮影し、洗浄前と洗浄後の写真画像を比較し、汚れ、ゴミを目視判断により評価した。被洗浄面として鉄道車両の車両塗装表面（Ａ面）、同じく車両ステンレス表面（（つや消し仕上げ面）Ｂ面）、同じく窓ガラス面（Ｃ面）を任意に選んで、撮影した。洗浄前の各面は、Ａ面がなだらかな表面の山谷全体に汚れが分布している状態であり、Ｂ面がつや消し仕上げの溝（ヘアライン）に入り込んだ汚れが広く分布し、溝と溝の間の頂上部にも汚れが点在している状態であり、Ｃ面が油脂状の汚れが点在している状態であった。本実施例による洗浄後には、Ａ面は汚れが見られない状態でありＯＫレベルであった。また、Ｂ面は、頂上部に汚れは見られず、ヘアライン内部の汚れは、最奥部に薄く痕跡を残すものの、洗浄はＯＫレベルであった。Ｃ面は、油脂など大きな汚れは落ちているが、洗浄後の水切りを行わなかったため、洗浄水に含まれていたとみられるアルカリ分が白く結晶したスポットが残ったものの、洗浄としてはＯＫレベルであった。
【図面の簡単な説明】
【００３７】
【図１】本発明の洗浄ノズルの一部を切り欠いて示す側面図である。
【図２】洗浄ノズルの正面図である。
【図３】洗浄装置の使用状態を模式的に示す概略の側面図である。
【図４】ノズルヘッダの一例を示す斜視図である。
【図５】鉄道車両の洗浄装置を示す概略の正面図である。
【図６】被洗浄面を拡大して示す概略の断面図である。
【符号の説明】
【００３８】
１０  洗浄ノズル
１１  ノズル本体
１２  ノズルチップ
１３  キャップ
１４  気体連通パイプ
１５  気体噴出孔
１６  液体噴出孔
３５  エアコンプレッサ
３６  圧縮エア
４４  ポンプ
４５  タンク
４６  洗浄液
５０  ノズルヘッダ
６０  鉄道車両
６５  液体噴流
６６  気体噴流
７０  交差部
７１  微細液粒
７５  被洗浄面
７５ａ  凹部
７６  汚れ
７７  ゴミ
【図１】
0005025358.tif 000002
【図２】
0005025358.tif 000003
【図３】
0005025358.tif 000004
【図４】
0005025358.tif 000005
【図５】
0005025358.tif 000006
【図６】
0005025358.tif 000007